(57)【要約】  本発明に係る加湿清浄装置は、水が保存される水槽と、前記水槽内部に配置され、前記水槽に保存された水を噴射するウォータリングハウジングと、前記ウォータリングハウジング内部に突出され、回転の際、前記水槽の水を前記ウォータリングハウジング内部に吸入し、前記吸入された水を前記ウォータリングハウジング上側に揚水（ｐｕｍｐｉｎｇ）する揚水グルーブと、前記ウォータリングハウジングに回転力を提供するウォータリングモータとを備える。本発明に係る加湿清浄装置は、ウォータリングユニットから噴射または飛散した水滴が加湿流路を通過する空気を洗い落とすという長所がある。【選択図】図１２
2018532094.tif 000002
【特許請求の範囲】
【請求項１】
加湿清浄装置であって、
水が保存される水槽と、
前記水槽内部に配置され、前記水槽に保存された水を内部に吸入して外部に噴射するウォータリングハウジングと、
前記ウォータリングハウジングに回転力を提供するウォータリングモータと、
前記ウォータリングハウジング内部に突出され、回転の際、前記水槽の水を前記ウォータリングハウジング内部に吸入し、前記吸入された水を前記ウォータリングハウジング上側に揚水（ｐｕｍｐｉｎｇ）する揚水グルーブと、
前記ウォータリングハウジングに配置され、前記上側に揚水された水を前記ウォータリングハウジング外部に噴射する噴射口と、を備える、加湿清浄装置。
【請求項２】
前記ウォータリングモータの回転力を前記ウォータリングハウジングに提供する動力伝達軸をさらに備え、
前記動力伝達軸は、前記ウォータリングハウジング内部に配置される、請求項１に記載の加湿清浄装置。
【請求項３】
前記揚水グルーブは、上下方向に長く延びて形成される、請求項１に記載の加湿清浄装置。
【請求項４】
前記揚水グルーブは、点線またはドット形態で形成される、請求項１に記載の加湿清浄装置。
【請求項５】
前記揚水グルーブは、複数個が配置され、前記ウォータリングモータのウォータリングモータ軸に対して放射状に配置された、請求項１に記載の加湿清浄装置。
【請求項６】
前記揚水グルーブは、前記噴射口より低く位置する、請求項１に記載の加湿清浄装置。
【請求項７】
前記ウォータリングハウジングの下端は、前記水槽の内側底面と所定間隔離間したウォータリング吸入口を形成し、前記ウォータリング吸入口を介して前記水槽の水が吸入される、請求項１に記載の加湿清浄装置。
【請求項８】
前記ウォータリングハウジングに形成された前記揚水グルーブの総表面積は、前記ウォータリング吸入口の面積に対して７７％〜１２９．５％で形成される、請求項７に記載の加湿清浄装置。
【請求項９】
前記揚水グルーブは、上下方向に長く延びて形成され、前記揚水グルーブの上下方向長さは、前記ウォータリングハウジングの高さの３０％〜１００％で形成される、請求項７に記載の加湿清浄装置。
【請求項１０】
前記ウォータリングハウジング内部には、ハウジング空間が形成され、前記ウォータリング吸入口の面積は、前記ハウジング空間平面の最大面積に対して１９．５％〜３２．７％の間で形成される、請求項７に記載の加湿清浄装置。
【請求項１１】
前記揚水グルーブは、前記ウォータリングモータのウォータリングモータ軸に対して少なくとも３度以上傾斜して形成される、請求項７に記載の加湿清浄装置。
【請求項１２】
前記揚水グルーブは、上側へ行くほど、前記水槽の外側に向かうように形成される、請求項１１に記載の加湿清浄装置。
【請求項１３】
前記ウォータリングハウジングが第１の回転速度以上に回転されるとき、前記噴射口を介して揚水された水が噴射される、請求項１に記載の加湿清浄装置。
【請求項１４】
前記噴射口は、
前記ウォータリングハウジングが第１の回転速度以上に回転されるとき、水が噴射される第１の噴射口と、
前記ウォータリングハウジングが前記第１の回転速度より速い第２の回転速度以上に回転されるとき、水が噴射される第２の噴射口と、を備え、
前記第２の噴射口は、前記第１の噴射口より高く位置する、請求項１に記載の加湿清浄装置。
【請求項１５】
前記ウォータリングハウジングは、
前記水槽の内側底面と吸入間隔の分だけ離間して配置され、上側及び下側が各々開口して形成される第１のウォータリングハウジングと、
上側及び下側が各々開口して形成され、前記第１のウォータリングハウジングの上端に組み立てられ、前記第１のウォータリングハウジング内部と連通される第２のウォータリングハウジングと、
前記第２のウォータリングハウジングの上端に結合され、前記第２のウォータリングハウジングの上面をカバーするウォータリングハウジングカバーと、
前記第１のウォータリングハウジング、第２のウォータリングハウジング、またはウォータリングハウジングカバーのうち、少なくともいずれか１つに配置され、前記ウォータリングモータから回転力が伝達される動力伝達部と、
前記第１のウォータリングハウジング、第２のウォータリングハウジング、またはウォータリングハウジングカバーのうち、少なくともいずれか１つに形成され、前記ウォータリングハウジングが回転されるとき、揚水された水が外部に吐出される前記噴射口と、を備え、
前記揚水グルーブは、前記第１のウォータリングハウジングまたは第２のウォータリングハウジングのうち、少なくとも何れか一つに配置された、請求項１に記載の加湿清浄装置。
【請求項１６】
前記揚水グルーブは、前記第１のウォータリングハウジングに配置され、
前記噴射口は、前記揚水グルーブより高く位置する、請求項１５に記載の加湿清浄装置。
【請求項１７】
前記動力伝達部に結合される動力伝達軸をさらに備えてなり、
前記動力伝達軸は、前記ウォータリングハウジング内部に位置し、
前記ウォータリングモータは、前記動力伝達軸に回転力を提供する、請求項１５に記載の加湿清浄装置。
【請求項１８】
前記動力伝達軸の上端は、前記ウォータリングハウジングカバーに結合され、
前記ウォータリングハウジングカバーは、前記動力伝達軸が固定される軸固定部をさらに備える、請求項１７に記載の加湿清浄装置。
【請求項１９】
前記第２のウォータリングハウジング内部に配置され、前記揚水された水と相互干渉されて流動を抑制する水膜抑制リブをさらに備える、請求項１５に記載の加湿清浄装置。
【請求項２０】
前記水膜抑制リブは、上下方向に長く延びて配置された、請求項１９に記載の加湿清浄装置。
【請求項２１】
前記水膜抑制リブは、前記動力伝達部と連結されて形成された、請求項１９に記載の加湿清浄装置。
【請求項２２】
前記噴射口は、
前記ウォータリングハウジングが第１の回転速度以上に回転されるとき、水が噴射される第１の噴射口と、
前記ウォータリングハウジングが前記第１の回転速度より速い第２の回転速度以上に回転されるとき、水が噴射される第２の噴射口と、を備え、
前記第１の噴射口又は前記第２の噴射口のうち少なくとも何れか一つは、前記第２のウォータリングハウジングに配置された、請求項１５に記載の加湿清浄装置。
【発明の詳細な説明】
【技術分野】
【０００１】
本発明は、加湿清浄装置に関するものである。
【背景技術】
【０００２】
空気調和装置は、空気の温度を制御するエアコン、空気の異物を除去して清浄度を維持させる空気清浄器、空気中に水分を提供する加湿器、空気中の水分を除去する除湿機などがある。
【０００３】
従来の加湿器は、振動板で水を霧化させて空気中に吐出する振動式及び加湿フィルタで自然蒸発させる自然蒸発式に区分される。
【０００４】
前記自然蒸発式加湿器は、駆動力を利用してディスクを回転させ、空気中のディスク表面で水が自然蒸発されるディスク式加湿器と、水で濡らした加湿媒体において流動する空気により自然蒸発される加湿フィルタ式加湿器とに区分される。
【０００５】
従来の加湿器は、加湿過程で流動する空気のうちの一部がフィルタでろ過された。
【０００６】
しかし、従来の加湿器は、湿度の低い季節にのみ使用され、空気清浄器は、加湿機能がないため、２つの製品を備えなければならないという問題点があった。
【０００７】
また、従来の加湿器は、加湿機能が主な機能であり、空気を浄化する空気清浄機能は、付加的な機能であるため、空気清浄機能が微弱な問題点があった。
【０００８】
また、従来の加湿器または空気清浄器は、加湿または空気清浄を区分して別に作動させることができないという問題点があった。
【発明の概要】
【発明が解決しようとする課題】
【０００９】
本発明は、加湿機能及び空気清浄機能を独立的に作動させることができる加湿清浄装置を提供することにその目的がある。
【００１０】
本発明は、加湿流路に結ばれた水滴をユーザが目で確認し、加湿がなされる状態を直観的に確認できる加湿清浄装置を提供することにその目的がある。
【００１１】
本発明は、ウォータリングハウジングを回転させて水槽の水を効果的に揚水し、噴射できる加湿清浄装置を提供することにその目的がある。
【００１２】
本発明は、ウォータリングハウジングを回転させずに揚水ポンプを駆動して水槽の水を揚水し、噴射できる加湿清浄装置を提供することにその目的がある。
【００１３】
本発明は、ウォータリングハウジングの回転の際、振動を最小化できる加湿清浄装置を提供することにその目的がある。
【００１４】
本発明は、水を効果的に揚水できる揚水グルーブの形態、総表面積、上下方向長さ、傾斜方向、傾斜度を提供することにその目的がある。
【００１５】
本発明の課題は、以上で言及した課題に制限されず、言及されていないさらに他の課題は、下記の記載から当業者に明確に理解され得るであろう。
【課題を解決するための手段】
【００１６】
本発明に係る加湿清浄装置は、ウォータリングハウジングを回転させて水槽の水を揚水した後、噴射することができる。
【００１７】
本発明に係る加湿清浄装置は、ウォータリングハウジングを回転させずに、揚水ポンプを駆動して水槽の水を揚水した後、噴射することができる。
【００１８】
本発明に係る加湿清浄装置は、水が保存される水槽と、前記水槽内部に配置され、前記水槽に保存された水を内部に吸入して外部に噴射するウォータリングハウジングと、前記ウォータリングハウジングに回転力を提供するウォータリングモータと、前記ウォータリングハウジング内部に突出され、回転の際、前記水槽の水を前記ウォータリングハウジング内部に吸入し、前記吸入された水を前記ウォータリングハウジング上側に揚水（ｐｕｍｐｉｎｇ）する揚水グルーブと、前記ウォータリングハウジングに配置され、前記上側に揚水された水を前記ウォータリングハウジング外部に噴射する噴射口とを備える。
【００１９】
前記ウォータリングモータの回転力を前記ウォータリングハウジングに提供する動力伝達軸をさらに備え、前記動力伝達軸は、前記ウォータリングハウジング内部に配置されることができる。
【００２０】
前記揚水グルーブは、上下方向に長く延びて形成されることができる。
【００２１】
前記揚水グルーブは、点線またはドット形態で形成されることができる。
【００２２】
前記揚水グルーブは、複数個が配置され、前記ウォータリングモータのウォータリングモータ軸に対して放射状に配置されることができる。
【００２３】
前記揚水グルーブは、前記噴射口より低く位置し得る。
【００２４】
前記ウォータリングハウジングの下端は、前記水槽の内側底面と所定間隔離間したウォータリング吸入口を形成し、前記ウォータリング吸入口を介して前記水槽の水が吸入され得る。
【００２５】
前記ウォータリングハウジングに形成された前記揚水グルーブの総表面積は、前記ウォータリング吸入口の面積に対して７７％〜１２９．５％で形成されることができる。
【００２６】
前記揚水グルーブは、上下方向に長く延びて形成され、前記揚水グルーブの上下方向長さは、前記ウォータリングハウジングの高さの３０％〜１００％で形成されることができる。
【００２７】
前記ウォータリングハウジング内部には、ハウジング空間が形成され、前記ウォータリング吸入口の面積は、前記ハウジング空間平面の最大面積に対して１９．５％〜３２．７％の間で形成されることができる。
【００２８】
前記揚水グルーブは、前記ウォータリングモータのウォータリングモータ軸に対して少なくとも３度以上傾斜して形成されることができる。
【００２９】
前記揚水グルーブは、上側へ行くほど、前記水槽の外側に向かうように形成されることができる。
【００３０】
前記ウォータリングハウジングが第１の回転速度以上に回転されるとき、前記噴射口を介して揚水された水が噴射され得る。
【００３１】
前記噴射口は、前記ウォータリングハウジングが第１の回転速度以上に回転されるとき、水が噴射される第１の噴射口と、前記ウォータリングハウジングが前記第１の回転速度より速い第２の回転速度以上に回転されるとき、水が噴射される第２の噴射口とを備え、前記第２の噴射口は、前記第１の噴射口より高く位置し得る。
【００３２】
前記ウォータリングハウジングは、前記水槽の内側底面と吸入間隔の分だけ離間して配置され、上側及び下側が各々開口して形成される第１のウォータリングハウジングと、上側及び下側が各々開口して形成され、前記第１のウォータリングハウジングの上端に組み立てられ、前記第１のウォータリングハウジング内部と連通される第２のウォータリングハウジングと、前記第２のウォータリングハウジングの上端に結合され、前記第２のウォータリングハウジングの上面をカバーするウォータリングハウジングカバーと、前記第１のウォータリングハウジング、第２のウォータリングハウジング、またはウォータリングハウジングカバーのうち、少なくともいずれか１つに配置され、前記ウォータリングモータから回転力が伝達される動力伝達部と、前記第１のウォータリングハウジング、第２のウォータリングハウジング、またはウォータリングハウジングカバーのうち、少なくともいずれか１つに形成され、前記ウォータリングハウジングが回転されるとき、揚水された水が外部に吐出される前記噴射口とを備え、前記揚水グルーブは、前記第１のウォータリングハウジングまたは第２のウォータリングハウジングのうち、少なくともいずれか１つに配置されることができる。
【００３３】
前記揚水グルーブは、前記第１のウォータリングハウジングに配置され、前記噴射口は、前記揚水グルーブより高く位置し得る。
【００３４】
前記動力伝達部に結合される動力伝達軸をさらに備え、前記動力伝達軸は、前記ウォータリングハウジング内部に位置し、前記ウォータリングモータは、前記動力伝達軸に回転力を提供できる。
【００３５】
前記動力伝達軸の上端は、前記ウォータリングハウジングカバーに結合され、前記ウォータリングハウジングカバーは、前記動力伝達軸が固定される軸固定部をさらに備えることができる。
【００３６】
前記第２のウォータリングハウジング内部に配置され、前記揚水された水と相互干渉されて流動を抑制する水膜抑制リブをさらに備えることができる。
【００３７】
前記水膜抑制リブは、上下方向に長く延びて配置されることができる。
【００３８】
前記水膜抑制リブは、前記動力伝達部と連結されて形成されることができる。
【００３９】
前記噴射口は、前記ウォータリングハウジングが第１の回転速度以上に回転されるとき、水が噴射される第１の噴射口と、前記ウォータリングハウジングが前記第１の回転速度より速い第２の回転速度以上に回転されるとき、水が噴射される第２の噴射口とを備え、前記第１の噴射口または第２の噴射口のうち、少なくともいずれか１つは、前記第２のウォータリングハウジングに配置されることができる。
【発明の効果】
【００４０】
本発明に係る加湿清浄装置は、次のような効果が１つあるいはそれ以上ある。
【００４１】
第１に、ウォータリングハウジングを回転させ、揚水グルーブと水の摩擦を介して水槽の水を吸入、揚水、噴射できるという長所がある。
【００４２】
第２に、ウォータリングハウジングを回転させずに、揚水ポンプを駆動させて水槽の水を吸入、揚水、噴射できるという長所がある。
【００４３】
第３に、ウォータリングユニットから噴射または飛散した水滴が加湿流路を通過する空気を洗い落とすという長所がある。
【００４４】
第４に、ウォータリングハウジング内部に揚水グルーブが形成されるので、吸入された水の流動方向を上側に切り換えることができるという長所がある。
【００４５】
第５に、揚水グルーブ形態、総表面積、上下方向長さ、傾斜方向、傾斜度を最適化して効率を向上させることができるという長所がある。
【００４６】
第６に、ウォータリングハウジング内部に水が吸入されるウォータリング吸入口の面積を最適化して、ウォータリングハウジングの形態及び体積を最小化できるという長所がある。
【００４７】
第７に、動力伝達軸が動力伝達部及びウォータリングハウジングカバーに各々結合されるので、ウォータリングハウジングの高さが長くなっても振動を最小化できるという長所がある。
【００４８】
本発明の効果は、以上で言及した効果に制限されず、言及されていないさらに他の効果は、請求の範囲の記載から当業者に明確に理解され得るであろう。
【図面の簡単な説明】
【００４９】
【図１】本発明の第１の実施形態に係る加湿清浄装置の斜視図である。
【図２】図１の分解斜視図である。
【図３】図１の分解正面図である。
【図４】図３の分解断面図である。
【図５】本発明の第１の実施形態に係る加湿清浄装置の空気流れが示された例示図である。
【図６】図４に示されたエアーウォッシュモジュールの断面図である。
【図７】図６に示されたＧの拡大図である。
【図８】図４に示されたウォータリングハウジングの設置状態が示された斜視図である。
【図９】図８の正面図である。
【図１０】図９のＭ−Ｍに沿って切断された断面図である。
【図１１】図８の平面図である。
【図１２】図８に示されたウォータリングハウジングの分解斜視図である。
【図１３】図１２の下側から見た斜視図である。
【図１４】図１２の正面図である。
【図１５】図１４のＮ−Ｎに沿って切断された断面図である。
【図１６】図１５に示されたウォータリンググルーブ拡大図である。
【図１７】本発明の第２の実施形態に係るウォータリングユニットが示された断面図である。
【発明を実施するための形態】
【００５０】
本発明の利点及び特徴、そして、それらを達成する方法は、添付される図面とともに詳細に後述されている実施形態を参照すれば明確になるであろう。しかし、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。
【００５１】
以下、本発明の実施形態を添付された図面を参照して詳細に説明する。
【００５２】
図１は、本発明の第１の実施形態に係る加湿清浄装置の斜視図であり、図２は、図１の分解斜視図であり、図３は、図１の分解正面図であり、図４は、図３の分解断面図であり、図５は、本発明の第１の実施形態に係る加湿清浄装置の空気流れが示された例示図であり、図６は、図４に示されたエアーウォッシュモジュールの断面図である。
【００５３】
本実施形態に係る加湿清浄装置は、エアークリーンモジュール１００及び前記エアークリーンモジュール１００上側に据え置かれるエアーウォッシュモジュール２００を備える。
【００５４】
前記エアークリーンモジュール１００は、外部空気を吸入した後にろ過し、ろ過空気を前記エアーウォッシュモジュール２００に提供する。前記エアーウォッシュモジュール２００は、前記ろ過空気の供給を受けて水分を提供する加湿を行い、加湿空気を外部に吐出する。
【００５５】
前記エアーウォッシュモジュール２００は、水が保存される水槽３００を備える。前記水槽３００は、前記エアーウォッシュモジュール２００が分離されるとき、前記エアークリーンモジュール１００から分離可能である。前記エアーウォッシュモジュール２００は、エアークリーンモジュール１００上に据え置かれる。
【００５６】
ユーザは、前記エアーウォッシュモジュール２００をエアークリーンモジュール１００から分離することができ、分離されたエアーウォッシュモジュール２００を掃除することができる。ユーザは、エアーウォッシュモジュール２００が分離されたエアークリーンモジュール１００内部を掃除することもできる。前記エアーウォッシュモジュール２００が分離された場合、前記エアークリーンモジュール１００の上面がユーザに開放される。
【００５７】
前記エアークリーンモジュール１００は、後述するフィルタアセンブリ１０を備え、ベースボディ１１０からフィルタアセンブリ１０を分離した後、掃除することができる。
【００５８】
ユーザは、前記エアーウォッシュモジュール２００に水を供給できる。前記エアーウォッシュモジュール２００には、外部から前記水槽３００へ水を供給できる給水流路１０９が形成される。
【００５９】
前記給水流路１０９は、空気が吐出される吐出流路１０７と分離されて構成される。前記給水流路１０９は、いつでも前記水槽に水を供給できるように構成される。例えば、前記エアーウォッシュモジュール２００が作動中であるときにも給水流路を介して水を供給できる。例えば、前記エアーウォッシュモジュール２００がエアークリーンモジュール１００に結合された状態でも給水流路を介して水を供給できる。例えば、前記エアーウォッシュモジュール２００がエアークリーンモジュール１００から分離される状態であるときにも給水流路を介して水を供給できる。
【００６０】
前記エアークリーンモジュール１００及びエアーウォッシュモジュール２００は、連結流路１０３を介して連結される。前記エアーウォッシュモジュール２００が分離可能であるため、前記連結流路１０３は、エアークリーンモジュール１００及びエアーウォッシュモジュール２００に分散されて配置される。前記エアーウォッシュモジュール２００がエアークリーンモジュール１００に据え置かれるとき、初めてエアーウォッシュモジュール２００の流路とエアークリーンモジュール１００の流路とが連結流路１０３を介して互いに連通される。
【００６１】
前記エアークリーンモジュール１００に形成された連結流路をクリーン連結流路１０４と定義し、前記エアーウォッシュモジュール２００に形成された連結流路を加湿連結流路１０５と定義する。
【００６２】
前記エアークリーンモジュール１００及びエアーウォッシュモジュール２００を通過する空気の流動は、より詳細に後述する。
【００６３】
以下、エアークリーンモジュール１００及びエアーウォッシュモジュール２００についてより詳細に説明する。
【００６４】
前記エアークリーンモジュール１００は、ベースボディ１１０と、前記ベースボディ１１０に配置され、空気をろ過させるフィルタアセンブリ１０と、前記ベースボディ１１０に配置され、空気を流動させる送風ユニット２０とを備える。
【００６５】
前記エアーウォッシュモジュール２００は、加湿のための水が保存され、前記エアークリーンモジュール１００に分離可能に据え置かれる水槽３００と、前記水槽３００に配置され、前記水槽３００内部に配置され、前記水槽の水を噴射するウォータリングユニット４００と、前記ウォータリングユニット４００から噴射された水により濡らされ、流動する空気に水分を提供する加湿媒体５０と、前記水槽３００に結合され、内部を見ることができる材質で形成されたビジュアルボディ２１０と、前記ビジュアルボディ２１０に分離可能に据え置かれ、空気が吐出される吐出流路１０７及び水が供給される給水流路１０９が形成されたトップカバーアセンブリ２３０とを備える。
【００６６】
前記エアークリーンモジュール１００には、吸入流路１０１、ろ過流路１０２、送風流路１０８、クリーン連結流路１０４が配置される。前記吸入流路１０１を介して吸入された空気は、ろ過流路１０２、送風流路１０８を経てクリーン流路１０４に流動する。
【００６７】
前記エアーウォッシュモジュール２００は、加湿連結流路１０５、加湿流路１０６、吐出流路１０７、及び給水流路１０９が配置される。
【００６８】
前記エアークリーンモジュール１００のクリーン連結流路１０４及びエアーウォッシュモジュール２００の加湿連結流路１０５は、エアーウォッシュモジュール２００がエアークリーンモジュール１００に据え置かれるとき、初めて連結される。
【００６９】
前記エアーウォッシュモジュール２００の加湿連結流路１０５を介して供給されたろ過空気は、加湿流路１０６及び吐出流路１０７を経て室内に吐出される。前記給水流路１０９は、加湿流路１０６と連通されるが、空気は吐出させず、水のみ給水され得る構造で製作される。
【００７０】
まず、エアークリーンモジュール１００の各構成について説明する。
【００７１】
前記ベースボディ１１０は、アッパーボディ１２０及びロアボディ１３０で構成される。前記ロアボディ１３０上側に前記アッパーボディ１２０が積層され、前記アッパーボディ１２０及びロアボディ１３０は組み立てられる。
【００７２】
前記ベースボディ１１０内部に空気が流動する。
【００７３】
前記ロアボディ１３０に吸入流路１０１、ろ過流路１０２、及び送風流路１０８が配置され、前記吸入流路１０１、ろ過流路１０２、及び送風流路１０８を形成させる構造物等が配置される。
【００７４】
前記アッパーボディ１２０に連結流路１０３の一部が配置され、ろ過された空気を前記エアーウォッシュモジュール２００に案内するための構造物等及びエアーウォッシュモジュール２００を据え置くための構造物等が配置される。
【００７５】
前記ベースボディ１１０は、外形を形成し、下側面に吸入口１１１が形成されたロアボディ１３０と、外形を形成し、前記ロアボディ１３０上側に結合されるアッパーボディ１２０とを備える。
【００７６】
前記フィルタアセンブリ１０は、前記ベースボディ１１０から脱着可能に組み立てられる。
【００７７】
前記フィルタアセンブリ１０は、ろ過流路１０２を提供し、外部空気に対してフィルタリングを行う。前記フィルタアセンブリ１０は、前記ベースボディ１１０に対して水平方向に脱着可能な構造である。前記フィルタアセンブリ１０は、垂直方向を逆らって流動する空気の流動方向に対して交差するように配置される。前記フィルタアセンブリ１０は、水平方向にスライド移動され、垂直方向上側に流動する空気に対してろ過を行う。前記フィルタアセンブリ１０は、水平に配置され、上下方向にろ過流路１０２を形成する。
【００７８】
前記フィルタアセンブリ１０は、前記ベースボディ１１０に対して水平方向に摺動されることができる。
【００７９】
前記フィルタアセンブリ１０は、前記ロアボディ１３０内部に配置され、ろ過流路１０２を形成するフィルタハウジング１１と、前記フィルタハウジング１１に分離可能に結合され、前記ろ過流路１０２を通過する空気に対してろ過を行うフィルタ１４とを備える。
【００８０】
前記フィルタハウジング１２は、下側が吸入流路１０１と連通され、上側が送風流路１０８と連通される。前記吸入流路１０１を介して吸入された空気は、ろ過流路１０２を経て送風流路１０８に流動する。
【００８１】
前記フィルタハウジング１２は、前記ろ過流路１０２と交差する方向に一側が開口する。前記フィルタハウジング１２の開口面を介して前記フィルタ１４が分離可能に結合され得る。前記フィルタハウジング１２の開口面は、側方向に形成される。前記フィルタハウジング１２の開口面は、ロアボディ１３０の外側面に配置される。これにより、前記フィルタ１４は、前記ロアボディ１３０の側面を介して挿入され、フィルタハウジング１２内部に位置する。前記フィルタ１４は、前記ろ過流路１０２と交差するように配置され、前記ろ過流路１０２を通過する空気に対してろ過を行う。
【００８２】
前記フィルタ１４は、印加された電源を帯電させて空気中の異物を捕集する電気集塵フィルタでありうる。前記フィルタ１４は、ろ過材を介して空気中の異物を捕集する材質で形成されることができる。前記フィルタ１４は、様々な構造が配置され得る。前記フィルタ１４のろ過方式またはフィルタのろ過材によって本発明の権利が制限されない。
【００８３】
前記ろ過流路１０２は、加湿清浄装置の主な流動方向と同じ方向に配置される。本実施形態において前記ろ過流路１０２は、上下方向に配置され、重力反対方向に空気を流動させる。すなわち、前記加湿清浄装置の主な流動方向は、下側から上側に向かうように形成される。
【００８４】
前記フィルタハウジング１２の上側に送風ユニット２０が配置される。
【００８５】
前記フィルタハウジング１２の上側面は、開口して形成され、前記ろ過流路１０２を通過した空気は、前記送風ユニット２０に流動する。
【００８６】
前記送風ユニット２０は、空気の流動を生成させる。前記送風ユニット２０は、前記ベースボディ１１０内部に配置され、下側から上側に空気を流動させる。
【００８７】
前記送風ユニット２０は、送風ハウジング１５０、送風モータ２２、及び送風ファン２４で構成される。本実施形態において前記送風モータ２２が上側に配置され、送風ファン２４が下側に配置される。前記送風モータ２２のモータ軸が下方に向かって設けられ、前記送風ファン２４と組み立てられる。
【００８８】
前記送風ハウジング１５０は、前記ベースボディ１１０内部に配置される。前記送風ハウジング１５０は、流動する空気の流路を提供する。前記送風ハウジング１５０に前記送風モータ２２及び送風ファン２４が配置される。
【００８９】
前記送風ハウジング１５０は、前記フィルタアセンブリ１０上側に配置され、前記アッパーボディ１２０下側に配置される。
【００９０】
前記送風ハウジング１５０は、内部に送風流路１０８を形成させる。前記送風流路１０８に前記送風ファン２４が配置される。前記送風流路１０８は、ろ過流路１０２及びクリーン連結流路１０４を連結させる。
【００９１】
前記送風ファン２４は、遠心ファンであって、下側で空気を吸入した後、半径方向外側に空気を吐出させる。前記送風ファン２４は、半径方向外側及び上側に空気を吐出させる。前記送風ファン２４は、外側端が半径方向上側に向かうように形成される。
【００９２】
前記送風モータ２２は、流動する空気との接触を最小化させるために、前記送風ファン２４の上側に配置される。前記送風モータ２２は、送風ファン２４により囲まれて設けられる。前記送風モータ２２は、前記送風ファン２４による空気流路上に位置せず、送風ファン２４により流動する空気と抵抗を発生させない。
【００９３】
前記アッパーボディ１２０は、ベースボディ１１０の外形を形成し、ロアボディ１３０と結合されるアッパーアウターボディ１２８と、前記アッパーアウターボディ１２８の内側に配置され、前記水槽３００が挿入され、連結流路１０３を提供するアッパーインナーボディ１４０と、前記アッパーインナーボディ１４０及びアッパーアウターボディ１２８を結合させ、空気を前記水槽３００に案内するエアーガイド１７０とを備える。
【００９４】
前記アッパーボディ１２０は、連結流路及び水槽挿入空間を分離して配置するので、水槽３００の水が連結流路に流入することを最小化できる。特に、アッパーインナーボディを介して仕切られて連結流路が水が保存される空間の外側に配置されるので、水が連結流路に流入することを抑制できる。
【００９５】
前記アッパーインナーボディ１４０は、上側が開口して形成され、前記水槽３００が挿入される。前記アッパーインナーボディ１４０は、ろ過空気が流入するクリーン連結流路１０４のうちの一部を形成する。
【００９６】
前記アッパーインナーボディ１４０は、エアーウォッシュ流入口３１と対応するアッパー流入口１２１が形成される。前記アッパー流入口１２１は、必須構成要素ではない。アッパーボディ１２０が前記エアーウォッシュ流入口３１を連結流路１０３に露出させる形状であれば、それで十分である。
【００９７】
前記エアーガイド１７０は、クリーン連結流路１０４を介して供給された空気を前記アッパー流入口１２１に案内する。前記エアーガイド１７０は、ベースボディ１１０の外側に沿って上昇された空気を内側に集める。前記エアーガイド１７０は、下側から上側に流動する空気の流動方向を切り換える。ただし、前記エアーガイド１７０は、空気の流動方向を切り換えるものの、その角度を最小化させて空気の流動抵抗を最小化させる。
【００９８】
前記エアーガイド１７０は、アッパーインナーボディ１４０の外側を３６０度囲むように形成される。前記エアーガイド１７０は、３６０度全方向に対して空気を前記水槽３００に案内する。前記エアーガイド１７０は、ロアボディ１３０の外側に沿って案内された空気を内側に集めて水槽３００に供給する。このような構造により前記水槽３００に供給される空気の流量を十分確保できる。
【００９９】
これにより、前記エアーガイド１７０は、空気の流動方向に形成された案内部１７２と、前記案内部１７２と連結され、案内された空気の流動方向を切り換える切換部１７４とを備える。
【０１００】
前記エアーガイド１７０は、連結流路１０３を形成する。
【０１０１】
前記案内部１７２は、ろ過流路１０２と略同じ方向に形成され、本実施形態では、上下方向に形成される。前記切換部１７４は、前記ろ過流路１０２と交差する方向に形成され、本実施形態では、略水平方向に形成される。
【０１０２】
前記切換部１７４は、エアーガイド１７０の上側に形成される。前記切換部１７２は、案内部１７２と曲面に連結されることが好ましい。
【０１０３】
前記切換部１７４が水平方向に形成されても、前記連結流路１０３を通過する空気は、略傾斜した上側方向に流動する。前記連結流路１０３及びろ過流路１０２の転流角を直進方向と類似して形成し、空気の流動抵抗を低減できる。
【０１０４】
前記案内部１７２の下端が前記アッパーアウターボディ１２８に固定される。前記切換部１７４の上側端が前記アッパーインナーボディ１４０に固定される。
【０１０５】
前記アッパーインナーボディ１４０外側に前記クリーン連結流路１０４のうちの一部が形成される。前記エアーガイド１７０がクリーン連結流路１０４のうちの一部を形成する。前記クリーン連結流路１０４を通過した空気は、アッパー流入口１２１及びエアーウォッシュ流入口３１を介して水槽３００内部に流動する。
【０１０６】
前記アッパーインナーボディ１４０は、全体的にバスケット状である。前記アッパーインナーボディ１４０は、平断面が円形に形成され、前記クリーン連結流路１０４は、３６０度全方向に形成される。
【０１０７】
前記エアーガイド１７０は、ろ過空気を前記クリーン連結流路１０４に案内するための構成であり、実施形態によって含まれないこともある。前記エアーガイド１７０は、アッパーインナーボディ１４０またはアッパーアウターボディ１２８を結合させる。
【０１０８】
前記エアーガイド１７０は、前記アッパーインナーボディ１４０を囲むように形成される。特に、前記エアーガイド１７０は、アッパー流入口１２１を囲むように形成され、前記アッパー流入口１２１にろ過空気を案内する。平面から見るとき、前記エアーガイド１７０は、ドーナッツ状である。
【０１０９】
本実施形態において前記エアーガイド１７０の上端は、前記アッパーインナーボディ１４０の上端に密着される。
【０１１０】
平面から見るとき、前記エアーガイド１７０の上側面と前記アッパーインナーボディ１４０の上側面とが一致する。本実施形態において前記アッパーインナーボディ１４０の上端には、前記エアーガイド１７０と結合または密着されるアッパーインナーボディリング１２６が形成される。
【０１１１】
前記アッパーインナーボディ１４０及びアッパーインナーボディリング１２６を連結されるインナーボディ延長部１４８が形成される。前記インナーボディ延長部１４８は、複数個が配置される。前記インナーボディ延長部１４８及びアッパーインナーボディリング１２６間にアッパー流入口１２１が形成される。
【０１１２】
前記インナーボディ延長部１４８は、水槽ボディ延長部３８０と対応する。前記水槽３００の据え置きの際、前記インナーボディ延長部１４８の内側に水槽ボディ延長部３８０が位置する。前記インナーボディ延長部１４８及び水槽ボディ延長部３８０は、内外に重なる。
【０１１３】
前記エアーガイド１７０の上端は、前記アッパーインナーボディリング１２６と密着または結合される。前記エアーガイド１７０の下端は、アッパーアウターボディ１２８と密着または結合される。
【０１１４】
これにより、前記アッパーインナーボディ１４０及びアッパーアウターボディ１２８間のクリーン連結流路１０４を介して流動する空気は、アッパー流入口１２１に案内される。
【０１１５】
前記アッパーインナーボディリング１２６の直径と前記エアーガイド１７０上端の直径とが一致するか、類似している。前記エアーガイド１７０及びアッパーインナーボディリング１２６が密着されてろ過空気の漏れを防止する。前記アッパーインナーボディリング１２６は、エアーガイド１７０の内側に配置される。
【０１１６】
前記アッパーアウターボディ１２８に取っ手１２９が形成され得る。前記アッパーボディ１２０にエアーウォッシュモジュール２００が据え置かれるところ、前記取っ手１２９を介して加湿清浄装置全体を持ち上げることができる。
【０１１７】
前記アッパーインナーボディ１４０は、水槽３００が挿入され得るように内部に水槽挿入空間１２５が形成される。
【０１１８】
前記アッパー流入口１２１を基準に外側にクリーン連結流路１０４が配置され、内側に水槽挿入空間１２５が配置される。前記クリーン連結流路１０４に沿って流動した空気は、アッパー流入口１２１を通過する。前記水槽３００が水槽挿入空間１２５に据え置かれた場合、前記アッパー流入口１２１を通過したろ過空気は、水槽３００内部に流入する。
【０１１９】
一方、アッパーボディ１２０の上側にアウタービジュアルボディ２１４が結合される。
【０１２０】
前記アウタービジュアルボディ２１４は、ビジュアルボディ２１０の構成であるが、本実施形態では、アッパーボディ１２０に固定される。本実施形態とは異なり、前記アウタービジュアルボディ２１４は、エアーウォッシュモジュール２００に固定されても構わない。本実施形態とは異なり、前記アウタービジュアルボディ２１４は、削除可能な構成である。
【０１２１】
前記アウタービジュアルボディ２１４は、アッパーボディ１２０に固定される。本実施形態において前記アウタービジュアルボディ２１４は、アッパーアウターボディ１２８に結合される。前記アウタービジュアルボディ２１４は、アッパーアウターボディ１２８の外側面が連続した面を形成する。
【０１２２】
アウタービジュアルボディ２１４は、内部を透視できる材質で形成される。前記アウタービジュアルボディ２１４は、透明であるか、半透明な材質で形成され得る。
【０１２３】
前記エアークリーンモジュール１００またはエアーウォッシュモジュール２００のうち、少なくともいずれか１つに作動状態をユーザに表示するディスプレイモジュール１６０が配置され得る。本実施形態では、前記ベースボディ１１０に加湿清浄装置の作動状態をユーザに表示するディスプレイモジュール１６０が設けられる。
【０１２４】
前記アウタービジュアルボディ２１４内側にディスプレイモジュール１６０が配置される。前記ディスプレイモジュール１６０は、アウタービジュアルボディ２１４の内側面に密着されるように配置される。前記ディスプレイモジュール１６０は、平面から見るとき、ドーナッツ状である。前記ディスプレイモジュール１６０の内側に前記水槽３００が挿入される。
【０１２５】
前記ディスプレイモジュール１６０は、アウタービジュアルボディ２１４に支持される。前記ディスプレイモジュール１６０の内側縁は、アッパーインナーボディリング１２６に支持される。前記ディスプレイモジュール１６０は、エアーガイド１７０上側に位置する。前記ディスプレイモジュール１６０は、コネクタ２６０と一体に製作されることができる。
【０１２６】
前記ディスプレイモジュール１６０は、エアーガイド１７０上側に位置する。前記ディスプレイモジュール１６０は、アッパーアウターボディ１２８及びアッパーインナーボディ１４０間に配置されることができる。前記ディスプレイモジュール１６０は、ユーザがアッパーアウターボディ１２８及びアッパーインナーボディ１４０間を見ることができないようにカバーする。特に、前記アッパーアウターボディ１２８及びアッパーインナーボディ１４０間に水が浸透することを遮断するために、前記ディスプレイモジュール１６０の内側及び外側はシーリングされることが好ましい。
【０１２７】
前記ディスプレイモジュール１６０の内側は、アッパーインナーボディ１４０に支持され、外側は、アウタービジュアルボディ２１８に支持される。
【０１２８】
本実施形態において前記ディスプレイモジュール１６０はリング形状に形成される。本実施形態とは異なり、前記ディスプレイモジュール１６０は、弧形状に形成されることができる。前記ディスプレイモジュール１６０の表面は、光を反射できる材質で形成されるか、光を反射できる材質がコーティングされる。
【０１２９】
これにより、前記ビジュアルボディ２１０に水が結ばれる場合、ビジュアルボディ２１０に結ばれた水がディスプレイモジュール１６０表面に投影されたり、反射されることができる。前記ビジュアルボディ２１０で結ばれた水が流れ落ちる場合、前記ディスプレイモジュール１６０にも同じ効果が表れる。
【０１３０】
このような効果は、ユーザに視覚的な刺激を与え、加湿がなされていることをユーザが直観的に認知できる。前記ディスプレイモジュール１６０に投影された水滴イメージは、ユーザに清涼感を与える感性的効果だけでなく、加湿状態を分かることができる機能的効果もある。
【０１３１】
前記ディスプレイモジュール１６０の上側面は、傾斜して形成される。前記ディスプレイモジュール１６０は、ユーザ側に傾斜して形成される。これにより、内側が高く、外側が低く形成される。
【０１３２】
次に、エアーウォッシュモジュール２００の各構成について説明する。
【０１３３】
前記エアーウォッシュモジュール２００は、ろ過空気に対して加湿を提供する。前記エアーウォッシュモジュール２００は、加湿流路１０６でレインビューを実現することができる。前記エアーウォッシュモジュール２００は、水槽３００の水を噴射し、これを循環させる。前記エアーウォッシュモジュール２００は、水を小さな大きさの液滴に変換させ、飛散した液滴を介してろ過空気を再度洗い落とす。飛散した水滴を介してろ過空気をウォッシング（ｗａｓｈｉｎｇ）するとき、加湿及びろ過が再度なされる。
【０１３４】
前記エアーウォッシュモジュール２００は、加湿連結流路１０５、加湿流路１０６、吐出流路１０７、及び給水流路１０９を備える。
【０１３５】
前記エアーウォッシュモジュール２００は、水槽３００、ウォータリングユニット４００、加湿媒体５０、ビジュアルボディ２１０、トップカバーアセンブリ２３０、及びハンドル１８０を備える。
【０１３６】
前記ハンドル１８０は、ビジュアルボディ２１０に結合され、前記ビジュアルボディ２１０で回転され、前記ビジュアルボディ２１０に収納される。前記ハンドル１８０を介してエアーウォッシュモジュール２００のみを簡便に持ち上げることができ、前記エアークリーンモジュール１００から分離することができる。
【０１３７】
前記加湿連結流路１０５は、水槽３００の外側に配置され、前記水槽３００の内部に空気を案内することができる。前記加湿連結流路１０５は、ビジュアルボディ２１０の外側に配置され、前記ビジュアルボディ２１０の内部に空気を案内することができる。
【０１３８】
前記加湿連結流路１０５は、水槽３００またはビジュアルボディ２１０のうち、少なくともいずれか１つの外側に配置され、水槽３００またはビジュアルボディ２１０のうち、いずれか１つの内部に空気を案内することができる。
【０１３９】
前記吐出流路１０７は、トップカバーアセンブリ２３０及びビジュアルボディ２１０の間に配置されることができる。前記吐出流路１０７は、トップカバーアセンブリ２３０またはビジュアルボディ２１０のうち、少なくともいずれか１つに配置されることができる。
【０１４０】
本実施形態では、トップカバーアセンブリ２３０の外側縁に吐出流路１０７が形成され、前記トップカバーアセンブリ２３０の内側中央に給水流路１０９が配置される。
【０１４１】
本実施形態に係る加湿清浄装置は、前記エアークリーンモジュール１００に電源が連結され、前記エアーウォッシュモジュール２００は、前記エアークリーンモジュール１００を介して電源の供給を受ける。
【０１４２】
前記エアーウォッシュモジュール２００が前記エアークリーンモジュール１００に対して分離可能な構造であるから、前記エアークリーンモジュール１００及びエアーウォッシュモジュール２００は、分離可能な電源供給構造が備えられる。
【０１４３】
前記エアークリーンモジュール１００及びエアーウォッシュモジュール２００は、前記アッパーボディ１２０を介して分離可能に組み立てられるので、前記アッパーボディ１２０には、前記エアーウォッシュモジュール２００に電源を提供するコネクタ２６０が配置される。
【０１４４】
前記エアーウォッシュモジュール２００のトップカバーアセンブリ２３０は、電源を必要とする操作部及びディスプレイが配置される。前記エアーウォッシュモジュール２００には、前記コネクタ２６０と分離可能に連結されるトップコネクタ２７０が配置される。前記トップコネクタ２７０は、トップカバーアセンブリ２３０に配置される。
【０１４５】
本実施形態では、前記トップカバーアセンブリ２３０を分離できるので、ビジュアルボディ２１０の内側面または水槽３００の内側面を簡便に掃除することができる。
【０１４６】
前記トップカバーアセンブリ２３０は、内側に給水流路１０９が形成され、ビジュアルボディ２１０との間に吐出流路１０７を形成させる。前記トップカバーアセンブリ２３０は、前記ビジュアルボディ２１０に対して分離可能に設けられる。前記トップカバーアセンブリ２３０は、コネクタ２６０と電気的に連結されるトップコネクタ２７０が配置される。
【０１４７】
前記トップカバーアセンブリ２３０が据え置かれるとき、トップコネクタ２７０がコネクタ２６０上側に据え置かれる。前記トップカバーアセンブリ２３０は、前記トップコネクタ２７０を介して前記コネクタ２６０から電気の供給を受ける。
【０１４８】
前記給水流路１０９の周りには、前記水槽３００の水位を表示する水位表示部（図示せず）が配置される。これにより、ユーザは、水を給水するとき、見えない水槽３００の水位がある程度満たされたかを確認することができる。このように、ユーザが水を給水する動線上に水位表示部を配置することにより、ユーザが水を過度に供給することを防止でき、水槽３００から水が溢れることを防止できる。
【０１４９】
前記水位表示部は、前記トップカバーアセンブリ２３０に配置される。前記トップコネクタ２７０及びコネクタ２６０の分離可能な電源供給構造は、上部給水を効果的に構成できるようにする。
【０１５０】
前記水槽３００は、前記アッパーボディ１２０に分離可能に据え置かれる。前記ウォータリングユニット４００は、前記水槽３００内部に配置され、前記水槽３００内部で回転される。
【０１５１】
前記水槽３００は、水が保存される水槽ボディ３２０と、前記水槽ボディ３２０の側面に形成されたエアーウォッシュ流入口３１と、前記水槽ボディ３２０から上側へ延びて形成され、前記ビジュアルボディ２１０に結合される水槽ボディ延長部３８０とを備える。
【０１５２】
本実施形態において前記水槽ボディ３２０は、上側が開口した円筒形に形成される。本実施形態とは異なり、前記水槽ボディ３２０は、様々な形状に形成されることができる。
【０１５３】
前記水槽ボディ延長部３８０は、前記水槽３００から上側へ延びて形成される。前記水槽ボディ延長部３８０は、前記エアーウォッシュ流入口３１を形成させる。前記水槽ボディ延長部３８０間に前記エアーウォッシュ流入口３１が形成される。
【０１５４】
前記エアーウォッシュ流入口３１は、水槽ボディ３２０の側面に形成される。前記エアーウォッシュ流入口３１は、水槽ボディ３２０に対して３６０度全方向に形成される。前記エアーウォッシュ流入口３１は、加湿連結流路１０５と連通される。
【０１５５】
前記水槽ボディ延長部３８０は、前記ビジュアルボディ２１０の内側面から流れ落ちる水を前記水槽３００内部に案内する。前記ビジュアルボディ２１０から流れ落ちる水を案内することによって落水騷音を最小化することができる。
【０１５６】
前記水槽ボディ延長部３８０は、ビジュアルボディ２１０の下端に締め付けられる。
【０１５７】
本実施形態では、前記水槽ボディ３２０の構成を介してエアーウォッシュ流入口３１が形成される。本実施形態とは異なり、前記ビジュアルボディ２１０に水槽ボディ延長部３８０を配置してエアーウォッシュ流入口３１を形成させることもできる。また、本実施形態とは異なり、複数個の水槽ボディ延長部３８０のうちの一部は水槽３００に配置し、複数個の水槽ボディ延長部３８０のうちの残りはビジュアルボディ２１０に配置して、エアーウォッシュ流入口３１を構成することができる。また、本実施形態とは異なり、ビジュアルボディ２１０及び水槽３００と区分される別の構成にエアーウォッシュ流入口３１を形成させることができる。また、本実施形態とは異なり、ビジュアルボディ２１０に開口面を形成してエアーウォッシュ流入口３１を形成させ、水槽３００にも開口面を形成してエアーウォッシュ流入口３１を形成させることができる。
【０１５８】
すなわち、前記エアーウォッシュ流入口３１は、水槽３００またはビジュアルボディ２１０のうち、少なくともいずれか１つに配置されることができる。前記エアーウォッシュ流入口３１は、水槽３００及びビジュアルボディ２１０の結合によって形成されることができる。前記エアーウォッシュ流入口３１を水槽３００及びビジュアルボディ２１０と区分される別の構成に配置した後、これを水槽３００及びビジュアルボディ２１０間に配置することができる。前記エアーウォッシュ流入口３１は、前記水槽３００及びビジュアルボディ２１０の結合によって形成されることができる。
【０１５９】
前記エアーウォッシュ流入口３１は、エアーウォッシュモジュール２００の側部に配置され、加湿流路１０６と連結される。前記エアーウォッシュ流入口３１は、加湿連結流路１０５と連通または連結されることができる。
【０１６０】
前記ウォータリングユニット４００は、加湿媒体５０に水を供給する機能がある。前記ウォータリングユニット４００は、加湿過程を視角化する機能がある。前記ウォータリングユニット４００は、エアーウォッシュモジュール２００内部にレインビューを実現する機能がある。
【０１６１】
前記ウォータリングユニット４００は、ウォータリングハウジング８００を回転させて前記水槽内部の水を吸入し、吸入された水を上側に揚水し、揚水された水を半径方向外側に噴射する。前記ウォータリングユニット４００は、水を内部に吸入し、吸入された水を上側に揚水した後、半径方向外側に噴射させるウォータリングハウジング８００を備える。
【０１６２】
本実施形態では、水を噴射させるために、ウォータリングハウジング８００を回転させる。本実施形態とは異なり、前記ウォータリングハウジング８００の代わりに、ノズルを使用して水を噴射しても構わない。ノズルで水を噴射して加湿媒体５０に水を供給でき、レインビューも同様に実現することができる。実施形態によって、ノズルで水を噴射し、ノズルを回転させることもできる。
【０１６３】
前記ウォータリングハウジング８００から噴射された水が前記加湿媒体５０を濡らす。前記ウォータリングハウジング８００から噴射された水は、前記ビジュアルボディ２１０または加湿媒体５０のうち、少なくともいずれか１つに向かって噴射されることができる。
【０１６４】
ビジュアルボディ２１０に向かって噴射される水は、レインビューを実現することができる。加湿媒体５０に向かって噴射される水は、ろ過空気を加湿するのに用いられる。ビジュアルボディ２１０に向かって水を噴射してレインビューを実現した後、ビジュアルボディ２１０から流れ落ちた水が加湿媒体５０を濡らすように実現することができる。
【０１６５】
本実施形態では、ウォータリングハウジング８００に高さの異なる複数個の噴射口を配置する。いずれか１つの噴射口から吐出された水がビジュアルボディ２１０の内側面に液滴を形成してレインビューを実現し、残りの１つの噴射口から吐出された水が加湿媒体５０を濡らして加湿に用いられる。
【０１６６】
前記ウォータリングハウジング８００は、前記ビジュアルボディ２１０の内側面に向かって水を噴射し、噴射された水は、前記ビジュアルボディ２１０の内側面に沿って下方へ流れ落ちる。前記ビジュアルボディ２１０の内側面には、水滴形態で結ばれた液滴が形成され、ユーザは、前記ビジュアルボディ２１０を介して前記液滴を見ることができる。
【０１６７】
特に、ビジュアルボディ２１０から流れ落ちた水は、加湿媒体５０を濡らして加湿に用いられる。前記加湿媒体５０は、ウォータリングハウジング８００から噴射された水及びビジュアルボディから流れ落ちた水により濡らされることができる。
【０１６８】
前記ビジュアルボディ２１０は、前記水槽３００と結合され、前記水槽３００の上側に位置する。前記ビジュアルボディ２１０の少なくとも一部は、内部を透視できる材質で形成される。
【０１６９】
前記ビジュアルボディ２１０の外側にディスプレイモジュール１６０が配置され得る。前記ディスプレイモジュール１６０は、ビジュアルボディ２１０またはアッパーボディ１２０のうち、いずれか１つに結合されることができる。
【０１７０】
前記ディスプレイモジュール１６０は、レインビューを観察できる視線上に配置される。本実施形態において前記ディスプレイモジュール１６０は、前記アッパーボディ１２０に配置される。
【０１７１】
前記エアーウォッシュモジュール２００が据え置かれるとき、前記ビジュアルボディ２１０の外側面が前記ディスプレイモジュール１６０に密着される。前記ディスプレイモジュール１６０の表面のうち、少なくとも一部は、光を反射する材質で形成されるか、コーティングされることができる。
【０１７２】
前記ビジュアルボディ２１０に結ばれた液滴は、前記ディスプレイモジュール１６０の表面にも投影される。これにより、ユーザは、前記ビジュアルボディ２１０及びディスプレイモジュール１６０の２ヶ所で液滴の動きを観察できる。
【０１７３】
前記水槽３００には、空気が通じるエアーウォッシュ流入口３１が形成される。前記エアーウォッシュ流入口３１は、連結流路１０３及び加湿流路１０６間に位置する。前記エアーウォッシュ流入口３１は、連結流路１０３の出口であり、加湿流路１０６の入口である。
【０１７４】
前記エアークリーンモジュール１００から供給されたろ過空気は、前記エアーウォッシュ流入口３１を介して前記エアーウォッシュモジュール２００内部に流動する。
【０１７５】
前記加湿媒体５０は、加湿流路１０６入口に配置される水槽加湿媒体５１及び加湿流路１０６出口に配置される吐出加湿媒体５５を備える。前記加湿流路１０６の出口と吐出流路１０７の入口とは、互いに連結される。これにより、前記吐出加湿媒体５５が吐出流路１０７に配置されても構わない。
【０１７６】
前記連結流路１０３、加湿流路１０６、及び吐出流路１０７はダクトなどのような構造物を介して形成されるものではないため、その境界を明確に区分し難い。ただし、加湿がなされる加湿流路１０６を水槽加湿媒体５１及び吐出加湿媒体５５間と定義する場合、連結流路１０３及び吐出流路１０７が自然に定義される。
【０１７７】
前記連結流路１０３は、送風ハウジング１５０及び水槽加湿媒体５１間と定義される。前記吐出流路１０７は、吐出加湿媒体５５以後と定義される。
【０１７８】
本実施形態において前記水槽加湿媒体５１は、水槽３００のエアーウォッシュ流入口３１に配置される。
【０１７９】
前記水槽加湿媒体５１は、エアーウォッシュ流入口３１と同一平面上、外側、または内側のうち、少なくともいずれか１つに位置し得る。前記水槽加湿媒体５１は、加湿のために水が濡らされるので、前記エアーウォッシュ流入口３１の内側に位置することが好ましい。
【０１８０】
前記水槽加湿媒体５１を濡らした後、流れ落ちた水は、前記水槽３００に保存されることが好ましい。前記水槽加湿媒体５１を濡らした後、流れ落ちた水が前記水槽３００外部に流れ落ちないように配置されることが好ましい。
【０１８１】
これにより、前記水槽加湿媒体５１は、前記エアーウォッシュ流入口３１を通過するろ過空気に対して加湿を提供する。
【０１８２】
前記加湿媒体５０で自然蒸発された水によりろ過空気が加湿される。前記自然蒸発は、別の熱を加えなかった状態で水が蒸発されることをいう。空気との接触が増加するほど、空気の流速が速くなるほど、空気中の圧力が低くなるほど、自然蒸発が促進される。前記自然蒸発を自然気化と指すこともある。
【０１８３】
前記加湿媒体５０は、水の自然蒸発を促進させる。本実施形態において前記加湿媒体５０は、水に濡らされるが、水槽３００には浸らない。
【０１８４】
前記水槽３００に保存された水と離間し、分離されて配置されるので、水槽３００に保存された水があっても水槽加湿媒体５１及び吐出加湿媒体５５は、常に濡らされた状態ではない。すなわち、加湿モードで作動されるときにのみ水槽加湿媒体５１及び吐出加湿媒体５５が濡らされた状態であり、空気清浄モードで作動されるときには、水槽加湿媒体５１及び吐出加湿媒体５５が乾燥された状態で維持されることができる。
【０１８５】
前記水槽加湿媒体５１は、前記エアーウォッシュ流入口３１をカバーし、空気は、前記水槽加湿媒体５１を貫介して前記水槽３００内部に流動する。
【０１８６】
前記吐出加湿媒体５５は、加湿流路１０６の出口または吐出流路１０７入口に配置されることができる。
【０１８７】
本実施形態において前記吐出加湿媒体５５は、ビジュアルボディ２１０の上部をカバーするように配置される。前記吐出加湿媒体５５は、ビジュアルボディ２１０に据え置かれる。本実施形態とは異なり、吐出加湿媒体５５は、トップカバーアセンブリ２３０の底面に結合されることができる。
【０１８８】
前記吐出加湿媒体５５は、前記吐出流路１０７をカバーし、加湿空気は、前記吐出加湿媒体５５を貫通した後、吐出流路１０７に流動する。
【０１８９】
図７は、図６に示されたＧの拡大図であり、図８は、図４に示されたウォータリングハウジングの設置状態が示された斜視図であり、図９は、図８の正面図であり、図１０は、図９のＭ−Ｍに沿って切断された断面図であり、図１１は、図８の平面図であり、図１２は、図８に示されたウォータリングハウジングの分解斜視図であり、図１３は、図１２の下側から見た斜視図であり、図１４は、図１２の正面図であり、図１５は、図１４のＮ−Ｎに沿って切断された断面図であり、図１６は、図１５に示された揚水グルーブの拡大図である。
【０１９０】
前記ウォータリングハウジング８００は、水槽３００に保存された水を噴射するための構成である。前記ウォータリングハウジング８００は、水槽３００に保存された水を効率的に揚水するための構造が配置される。
【０１９１】
前記ウォータリングハウジング８００は、ウォータリングモータ４２の回転力が伝達されて回転され、回転の際、水槽３００に保存された水を内部に吸入した後、上側に揚水することができる。前記ウォータリングハウジング８００内部に揚水された水は、噴射口４１０を介して吐出される。
【０１９２】
前記ウォータリングハウジング８００には、揚水手段が配置される。前記揚水手段は、前記水槽３００の水を上側に揚水（ｐｕｍｐｉｎｇ）する。水槽の水を揚水する方法は、様々に実現されることができる。
【０１９３】
例えば、前記揚水ポンプを介して水を揚水した後、噴射させることができる。
【０１９４】
例えば、ウォータリングハウジングを回転させ、回転の際、水と摩擦または相互干渉を形成させて水を揚水できる。
【０１９５】
本実施形態では、ウォータリングハウジング８００の回転によって水を揚水する構造が提案される。本実施形態において揚水手段は、水との摩擦または相互干渉を介して水を上側に押し上げる揚水グルーブ８１０である。
【０１９６】
前記ウォータリングハウジング８００の内側面に揚水手段である揚水グルーブ８１０が形成される。前記揚水グルーブ８１０は、揚水効率を向上させる。前記揚水グルーブ８１０は、前記ウォータリングハウジング８００内側面から突出されて形成される。前記揚水グルーブ８１０は、上下方向に長く延びて形成される。前記揚水グルーブ８１０は、ウォータリングモータ軸４３または動力伝達軸６４０に対して放射状に配置される。
【０１９７】
前記ウォータリングハウジング８００の下端は、水槽３００の底面と所定間隔離間して吸入間隔８０１を形成する。前記吸入間隔８０１を介して水槽３００の水がウォータリングハウジング８００内部に吸入される。
【０１９８】
前記ウォータリングハウジング８００は、下側が開放されるように形成される。前記ウォータリングハウジング８００は、カップ形状である。前記ウォータリングハウジング８００は、カップを逆に置いた形状である。前記ウォータリングハウジング８００内部には、ハウジング空間８０５が形成される。
【０１９９】
前記ウォータリングハウジング８００内部に水槽３００のコラム３５が位置し、前記コラム３５内部に動力伝達モジュール６００が配置される。前記ウォータリングハウジング８００は、コラム３５を囲むように配置される。
【０２００】
前記ウォータリングハウジング８００は、上側へ行くほど、平断面が拡張されるように形成される。前記コラム３５は、上側へ行くほど、平断面が縮小されるように形成される。前記ウォータリングハウジング８００及びコラム３５の形状は、水を効果的に揚水するための形状である。前記ハウジング空間８０５の容積は、上側へ行くほど増加される。
【０２０１】
前記ウォータリングハウジング８００が回転されるとき、内部に吸入された水は、遠心力によりウォータリングハウジング８００内周面に密着される。前記ウォータリングハウジング８００内周面に形成された揚水グルーブ８１０は、内部に吸入された水に回転力を提供する。
【０２０２】
前記ウォータリングハウジング８００には、吸入された水を外部に吐出する噴射口４１０が形成される。本実施形態において前記噴射口４１０は、水平方向に水を吐出させるように配置される。前記噴射口４１０を介して揚水された水が外部に吐出される。
【０２０３】
本実施形態において前記噴射口４１０から吐出された水は、ビジュアルボディ２１０に噴射されることができる。
【０２０４】
前記噴射口４１０は、設計条件によってその個数が調整され得る。本実施形態において前記噴射口４１０は、高さの差をおいてウォータリングハウジング８００に複数個が配置される。前記ウォータリングハウジング８００の上側に配置された噴射口を第２の噴射口と定義し、ウォータリングハウジングの中間に配置された噴射口を第１の噴射口と定義する。
【０２０５】
前記ウォータリングハウジング８００が第１の回転速度以上に回転されるとき、前記第１の噴射口から水が噴射され得る。前記ウォータリングハウジング８００が第２の回転速度以上に回転されるとき、前記第２の噴射口から水が噴射され得る。
【０２０６】
前記第２の回転速度は、前記第１の回転速度に比べて高速である。
【０２０７】
前記ウォータリングハウジング８００が高速で回転されるときにのみ、前記第２の噴射口から水が吐出される。前記ウォータリングハウジング８００が通常的に回転される速度には、前記第２の噴射口を介して水が吐出されないように配置することができる。前記第１の噴射口は、ウォータリングハウジングが常に作動される全ての段階で水を吐出する。
【０２０８】
前記第２の噴射口は、複数個が配置され得る。前記第１の噴射口は、複数個が配置され得る。
【０２０９】
ウォータリングハウジング８００が通常回転速度で回転されれば、揚水された水は、少なくとも第１の噴射口より高く上昇される。前記ウォータリングハウジング８００が高速で回転されれば、揚水された水は、第２の噴射口の高さ以上に上昇される。
【０２１０】
前記第２の噴射口は、ウォータリングハウジング８００の円周方向に複数個が配置され得る。前記第１の噴射口もウォータリングハウジング８００の円周方向に複数個が配置され得る。
【０２１１】
前記ウォータリングハウジング８００が回転されなければ、噴射口４１０を介して水が吐出されない。ユーザが清浄モード（エアークリーンモジュールは作動され、エアーウォッシュモジュールは停止されるモード）にのみ作動させれば、ウォータリングユニット４０が作動されず、送風ユニット２０だけが作動される。ユーザが加湿モードのみで作動させるとき、前記ウォータリングハウジング８００が回転され、前記噴射口４１０を介して水が吐出される。ユーザが清浄モード及び加湿モードを同時作動させるとき、前記噴射口４１０から吐出される水は、ビジュアルボディ２１０の内側面に噴射されることができる。
【０２１２】
ウォータリングハウジング８００が回転されるので、前記噴射口４１０から吐出された水は、前記ビジュアルボディ２１０の内側面を打撃し、前記ビジュアルボディ２１０の内側面に沿って移動される。
【０２１３】
ユーザは、ビジュアルボディ２１０を介して水が噴射されることを視覚的に確認することができる。このような水の噴射は、加湿モードで作動中であることを意味する。ユーザは、水の噴射を介して加湿モードが作動中であることを直観的に確認することができる。
【０２１４】
前記ビジュアルボディ２１０には、噴射された水により液滴が結ばれ、前記液滴は、下方へ流れ落ちるようになる。
【０２１５】
本実施形態において前記ウォータリングハウジング８００は、３個のパートで構成される。本実施形態とは異なり、前記ウォータリングハウジング８００は、１個または２個の部品で製作されることができる。
【０２１６】
前記ウォータリングハウジング８００の下端は、水槽３００の底面から所定間隔離間して配置される。
【０２１７】
前記ウォータリングハウジング８００は、第１のウォータリングハウジング８２０、第２のウォータリングハウジング８４０、ウォータリングハウジングカバー８６０、及びウォータリング動力伝達部８８０を備える。
【０２１８】
前記ウォータリングハウジング８００は、動力伝達軸６４０と組み立てられ、前記動力伝達軸６４０から回転力が伝達される構造が配置される。本実施形態において前記ウォータリングハウジング８００は、ウォータリング動力伝達部８８０及びウォータリングハウジングカバー８６０が動力伝達軸６４０と組み立てられる。前記ウォータリングハウジング８００は、動力伝達軸６４０と２ヶ所で結合され、２ヶ所から回転力が伝達される。
【０２１９】
本実施形態とは異なり、前記ウォータリングハウジング８００は、動力伝達軸６４０と１ヶ所で結合され、結合された１ヶ所で回転力が伝達されることができる。
【０２２０】
また、本実施形態とは異なり、前記ウォータリングハウジング８００は、動力伝達軸でない、他の方式で回転力が伝達されることができる。例えば、ベルト−プーリ方式でウォータリングモータの回転力が伝達されることができる。例えば、ギア噛合い方式でウォータリングモータの回転力が伝達されることができる。例えば、チェーン方式でウォータリングモータの回転力が伝達されることができる。例えばクラッチ方式でウォータリングモータの回転力が伝達されることができる。
【０２２１】
前記動力伝達軸６４０は、上端及び下端に各々ねじ山６４３が形成される。
【０２２２】
上端ねじ山６４３は、ウォータリングハウジングカバー８６０と組み立てられる。下端ねじ山は、第２のカプラ６２０と組み立てられる。前記アッパーボディ１２０には、前記第２のカプラ６２０と結合される第１のカプラ６１０が配置される。
【０２２３】
前記アッパーボディ１２０には、ウォータリングモータ４２が配置される。前記ウォータリングモータ４２は、ウォータリングハウジング８００に回転力を提供する。
【０２２４】
前記エアークリーンモジュール１００に配置され、前記ウォータリングモータ４２に結合されたカプラを第１のカプラ６１０と定義する。前記エアーウォッシュモジュール２００に配置され、前記第１のカプラ６１０と分離可能に結合されるカプラを第２のカプラ６２０と定義する。
【０２２５】
前記第１のカプラ６１０または第２のカプラ６２０のうち、いずれか１つは、雄状で、他の１つは、雌状である。本実施形態では、第１のカプラ６１０が雄状であり、第２のカプラ６２０が雌状で製作される。本実施形態では、前記第１のカプラ６１０が第２のカプラ６２０に挿入される形態で分離可能に結合される。本実施形態とは異なり、前記第２のカプラ６２０が前記第１のカプラ６１０に挿入される形態で結合されることができる。
【０２２６】
前記ウォータリングモータ４２は、アッパーボディ１２０に設けられる。前記ウォータリングモータ４２は、前記送風モータ２２の上側に位置し、前記送風モータ２２と離間して位置する。前記アッパーボディ１２０内部に前記水槽３００が据え置かれる。前記水槽３００がアッパーボディ１２０に据え置かれるとき、前記第１、２のカプラ６１０、６２０が動力伝達可能に連結される。前記ウォータリングモータ４２のウォータリングモータ軸４３は、上側に向かうように配置される。前記ウォータリングモータ軸４３の上端に第１のカプラ６１０が設けられる。
【０２２７】
前記ウォータリングハウジング８００の各構成について説明すれば、次のとおりである。
【０２２８】
前記第１のウォータリングハウジング８２０は、上側及び下側が各々開口して形成され、内側面に揚水グルーブ８１０が形成される。前記第１のウォータリングハウジング８２０の下端が水槽３００の底面と所定間隔離間して吸入間隔８０１を形成する。
【０２２９】
第２のウォータリングハウジング８４０は、上側及び下側が各々開口して形成され、前記第１のウォータリングハウジング８２０の上端に組み立てられる。
【０２３０】
前記ウォータリングハウジングカバー８６０は、前記第２のウォータリングハウジング８４０の上端に結合され、前記第２のウォータリングハウジング８４０の上面をカバーする。
【０２３１】
前記ウォータリング動力伝達部８８０は、前記第１のウォータリングハウジング８２０または第２のウォータリングハウジング８４０のうち、少なくともいずれか１つと連結されて動力伝達モジュール６００の回転力が伝達される。本実施形態において前記ウォータリング動力伝達部８８０は、前記第１のウォータリングハウジング８２０に連結される。
【０２３２】
本実施形態とは異なり、前記第１のウォータリングハウジング８２０及び第２のウォータリングハウジング８４０は、一体に製作されることができる。また、本実施形態とは異なり、前記第１のウォータリングハウジング８２０及びウォータリングハウジングカバー８６０が一体に製作されることができる。
【０２３３】
前記第１のウォータリングハウジング８２０の上側断面が下側断面より広く形成される。前記第１のウォータリングハウジング８２０は、上下方向に傾斜を形成する。前記第１のウォータリングハウジング８２０は、下側断面が狭い円錐形態でありうる。
【０２３４】
前記第１のウォータリングハウジング８２０内部に揚水グルーブ８１０が形成される。前記揚水株部８１０は、上下方向に形成される。前記揚水グルーブ８１０は、ウォータリングモータ軸４３を中心に放射状に配置される。前記揚水グルーブ８１０は、複数個が配置され得るし、前記ウォータリングハウジング８００の軸中心に向かって突出される。
【０２３５】
前記第１のウォータリングハウジング８２０の下端は、水槽３００の内部底面と離間して吸入間隔８０１を形成する。第１のウォータリングハウジング８２０の上端は、第２のウォータリングハウジング８４０の下端と結合される。
【０２３６】
前記第１のウォータリングハウジング８２０及び第２のウォータリングハウジング８４０は、組立及び分解が可能である。本実施形態において前記第１のウォータリングハウジング８２０及び第２のウォータリングハウジング８４０は、ねじ結合を介して組み立てられる。第１のウォータリングハウジング８２０の上側外周面にねじ山８２２が形成され、第２のウォータリングハウジング８４０の下側内周面にねじ山８４２が形成される。
【０２３７】
前記第１のウォータリングハウジング８２０に形成されたねじ山８２２を第１のねじ山８２２と定義し、前記第２のウォータリングハウジング８４０に形成されたねじ山８４２を第２のねじ山８４２と定義する。
【０２３８】
前記第１のねじ山８２２の下側に前記第２のウォータリングハウジング８４０の移動を制限する第１のバリア８２３が形成される。前記第１のバリア８２３は、前記第１のウォータリングハウジング８２０の円周方向に形成される。前記第１のバリア８２３は、帯形態で形成され、前記第１のウォータリングハウジング８２０の外側に突出されて形成される。
【０２３９】
第１のウォータリングハウジング８２０及び第２のウォータリングハウジング８４０の組立の際、前記第１のバリア８２３は、前記第２のウォータリングハウジング８４０の下端に密着される。前記第１のバリア８２３は、前記第１のねじ山８２２より外側にさらに突出されて形成される。
【０２４０】
前記第１のねじ山８２２及び第１のバリア８２３間に第１のパッキング８２５が配置される。前記第１のパッキング８２５は、第１のウォータリングハウジング８２０及び第２のウォータリングハウジング８４０間に水が漏れることを遮断する。前記第１のパッキング８２５は、弾性材質で形成される。前記第１のパッキング８２５は、リング形態で形成される。
【０２４１】
前記第１のパッキング８２５の位置を固定させるために、パッキング設置リブ８２４が配置される。前記パッキング設置リブ８２４は、第１のねじ山８２２の延長線上に配置されることができる。前記パッキング設置リブ８２４は、第１のねじ山８２２の一部でありうる。
【０２４２】
これにより、前記第１のねじ山８２２は複数個で形成され、不連続に分散されて配置されることができ、そのうちの１つが前記パッキング設置リブ８２４でありうる。
【０２４３】
前記第１のウォータリングハウジング８２０には、第１の噴射口４１１が配置される。本実施形態において前記第１の噴射口４１１は、２個が配置される。２個の第１の噴射口４１１は、互いに反対方向に向かうように形成される。
【０２４４】
前記第１の噴射口４１１は、第１のウォータリングハウジング８２０の内外側を連通させる。本実施形態では、前記第１の噴射口４１１の内側開口面積が外側開口面積より広く形成される。
【０２４５】
前記第２のウォータリングハウジング８４０の外周面には、ウォータリング羽根８５０が形成される。前記ウォータリング羽根８５０は、加湿空気を流動させることができる。前記ウォータリングハウジング８００の回転の際、前記ウォータリング羽根８５０は、周りの空気を引き込むことができる。
【０２４６】
前記ウォータリングハウジング８００が配置された加湿流路１０６の空気は、送風ファン２４の流動によりほとんど吐出流路１０７側に流動するが、前記ウォータリング羽根８５０の周りの空気はこれと反対に流動し得る。前記ウォータリング羽根８５０は、局所的に送風ファン２４による空気流動と反対に空気流動を形成させることができる。前記ウォータリング羽根８５０の形状によって送風ファン２４による流動と同じ方向に空気を流動させることもできる。このときにも、ウォータリング羽根８５０の回転によりウォータリングハウジング８００の周りの空気がウォータリングハウジング８００表面に集まるようにすることができる。
【０２４７】
前記ウォータリング羽根８５０による空気流動は、前記ウォータリングハウジング８００の周りの水粒子を水槽３００に流動させる効果がある。前記ウォータリング羽根８５０の回転は、風量を生成し、ウォータリングハウジング８００の周りの水粒子を引き込むという効果がある。
【０２４８】
これにより、前記ウォータリング羽根８５０による空気流動は、給水流路１０９からウォータリングハウジング８００の上部に水が落下するとき、落下する水をウォータリングハウジング８００側に集める役割を果たす。
【０２４９】
前記ウォータリングハウジング８００が回転されるとき、給水流路１０９を介して水が供給される場合、水が前記ウォータリングハウジング８００表面に当たって不規則に飛散することがある。前記ウォータリング羽根８５０による空気流動は、給水の際、飛散する水粒子をウォータリングハウジング８００表面側に集めることができる。
【０２５０】
前記第２のウォータリングハウジング８４０は、第２の噴射口４１２、４１３が形成される。前記第２の噴射口４１２、４１３は、ビジュアルボディ２１０に向かって水を噴射する。本実施形態において前記第２の噴射口４１２、４１３は、２個が配置される。前記第２の噴射口のうちの１つを第２−１の噴射口４１２といい、残りの１つを第２−２の噴射口４１３と定義する。
【０２５１】
前記第２−１の噴射口４１２及び第２−２の噴射口４１３は、互いに反対方向に向かうように配置される。前記第２−１の噴射口４１２及び第２−２の噴射口４１３は、動力伝達軸６４０を基準に対称して配置されることができる。
【０２５２】
本実施形態において前記第２−１の噴射口４１２及び第２−２の噴射口４１３は、所定の高低差を形成する。前記第２−１の噴射口４１２及び第２−２の噴射口４１３は、同じ高さに配置されない。
【０２５３】
前記第２−１の噴射口４１２及び第２−２の噴射口４１３が高低差を形成させることにより、ビジュアルボディ２１０に当たる水の位置を異なるように設定できる。これにより、前記ウォータリングハウジング８００が回転されるとき、第２−１の噴射口４１２から噴射された水と第２−２の噴射口４１３から噴射された水とが互いに異なる経路に通るようになる。
【０２５４】
前記第２の噴射口４１２、４１３からビジュアルボディ２１０の内側面に当たる水の軌跡を噴射ラインと定義する。
【０２５５】
前記第２−１の噴射口４１２が形成する噴射ラインを第１の噴射ラインと定義し、前記第２−２の噴射口４１３が形成される噴射ラインを第２の噴射ラインと定義する。
【０２５６】
本実施形態では、前記ビジュアルボディ２１０のいずれか１ヶ所を基準に第２−１の噴射口４１２から噴射された水が通った後、所定時間後に異なる高さに第２−２の噴射口４１３から噴射された水が通るようになる。すなわち、前記ビジュアルボディ２１０の内側面には、２個の噴射ラインが形成され、このような視覚的演出を介して水が噴射されていることをユーザにより効果的に認知させることができる。
【０２５７】
一定の高さに配置された２個の第２の噴射口から水が吐出される場合、１個の噴射ラインのみが形成される。ウォータリングハウジング８００が高速で回転されれば、第１、２の噴射口１４２、１４３が反対方向に位置しても位相差が極めて短く形成され得る。この場合、１個の噴射ラインから水が流れ落ちることと錯視を起こすことができる。
【０２５８】
一方、２個の噴射ラインを形成する場合、水が当たる位置が異なるので、当たって発生される音も異なるように形成される。すなわち、第１の噴射ラインから発生される音と第２の噴射ラインから発生される音とが異なるように形成される。このような音響差を介してユーザは、ウォータリングハウジング８００が回転されていることを聴覚的にも確認することができる。
【０２５９】
１個の噴射ラインだけが形成される場合、同じ音が持続的に生成されるので、ユーザがこれを認知できないか、単純騷音と誤認することができる。
【０２６０】
前記複数個の噴射ラインを介した音響差は、低視力者または聴覚障害者らに作動状況を効果的に伝達する効果がある。また、光がない状況でも加湿清浄装置が作動中であることを容易に確認することができる。
【０２６１】
一方、前記第２のウォータリングハウジング８４０の内部には、水膜回転流動を抑制する水膜抑制リブ８７０が形成される。前記水膜回転流動は、ウォータリングハウジング８００の内側面に沿って回転される流動を意味する。
【０２６２】
前記第１のウォータリングハウジング８２０の揚水グルーブ８１０は、前記水膜回転流動を形成させるためのものであり、前記水膜抑制リブ８７０は、前記水膜回転流動を抑制させるためのものである。
【０２６３】
前記第１のウォータリングハウジング８２０では、水を揚水して第２のウォータリングハウジング８４０まで上昇させなければならないので、水膜回転流動を積極的に発生させるが、前記第２のウォータリングハウジング８４０まで上昇した水は、水膜回転流動が形成されないほど、第１、２の噴射口４１２、４１３を介しての噴射が容易である。
【０２６４】
前記第２のウォータリングハウジング８４０内部で高速の水膜回転流動が形成される場合、水が第２の噴射口を介して吐出されず、内部に沿って流動するようになる。
【０２６５】
また、前記第２のウォータリングハウジング８４０に多量の水が留まるほど、ウォータリングハウジング８００の振動が大きく形成される。前記第２のウォータリングハウジング８４０まで揚水された水が第２の噴射口４１２、４１３を介して迅速に噴射されてはじめてウォータリングハウジング８００の偏心を最小化でき、これによる振動も最小化させることができる。
【０２６６】
前記水膜抑制リブ８７０は、水膜回転流動を最小化させ、これを介してウォータリングハウジング８００の偏心及び振動を最小化させる機能を果たす。
【０２６７】
前記水膜抑制リブ８７０は、第２のウォータリングハウジング８４０の内側面から突出されて形成される。本実施形態において前記水膜抑制リブ８７０は、動力伝達軸６４０に向かって突出されて形成される。前記水膜抑制リブ８７０は、水膜回転流動と交差する方向に形成される。
【０２６８】
前記水膜回転流動は、第２のウォータリングハウジング８４０の内側面に沿って螺旋形または円形で流動するところ、前記水膜抑制リブ８７０は、上下方向に形成されることが好ましい。
【０２６９】
本実施形態において前記水膜抑制リブ８７０は、垂直方向に形成される。前記水膜抑制リブ８７０は、複数個が形成され得る。本実施形態において前記水膜抑制リブ８７０は、３個が配置される。複数個の前記水膜抑制リブ８７０は、ウォータリングハウジング内周面に対して等間隔に配置される。
【０２７０】
本実施形態において前記水膜抑制リブ８７０の突出長さは５ｍｍである。前記水膜抑制リブ８７０の突出長さは、水膜回転流動の厚さと連関したものであって、実施形態によって様々に変更されることができる。
【０２７１】
本実施形態において前記水膜抑制リブ８７０は、ウォータリング動力伝達部８８０と連結されて形成される。本実施形態とは異なり、水膜抑制リブ８７０及びウォータリング動力伝達部８８０を分離して配置することができる。
【０２７２】
本実施形態では、前記水膜抑制リブ８７０をウォータリング動力伝達部８８０と連結されるように製作することにより、金型を簡素化できる。
【０２７３】
前記ウォータリング動力伝達部８８０は、動力伝達軸６４０の回転力をウォータリングハウジング８００に伝達するための構成である。
【０２７４】
本実施形態において前記ウォータリング動力伝達部８８０は、第２のウォータリングハウジング８４０と連結される。本実施形態とは異なり、前記ウォータリング動力伝達部８８０は、第１のウォータリングハウジング８２０と連結されることもできる。
【０２７５】
本実施形態において前記ウォータリング動力伝達部８８０は、第２のウォータリングハウジング８４０と一体に製作される。本実施形態とは異なり、前記ウォータリング動力伝達部８８０は、別に製作された後、第２のウォータリングハウジング８４０に組み立てられることができる。
【０２７６】
前記ウォータリング動力伝達部８８０は、ウォータリングハウジング８００の軸中心に位置するブッシュ設置部８８２と、前記ブッシュ設置部８８２及びウォータリングハウジング８００を連結するウォータリング連結部８８４とを備える。本実施形態において前記ブッシュ設置部８８２、ウォータリング連結部８８４、及び第２のウォータリングハウジング８２０は、射出されて一体に製作される。
【０２７７】
前記ウォータリング連結部８８４は、リブ形態で製作される。前記ウォータリング連結部８８４は、軸中心を基準に放射状に配置され、複数個が形成される。
【０２７８】
本実施形態において前記ウォータリング連結部８８４は、水膜抑制リブ８７０と一体に製作される。前記ウォータリング連結部８８４及び水膜抑制リブ８７０は、連結されて形成される。
【０２７９】
前記動力伝達軸６４０は、前記ブッシュ設置部８８２を貫通するように設けられる。
【０２８０】
前記ブッシュ設置部８８２の下側は、開口して形成される。前記ブッシュ設置部８８２の開口した下側を介してブッシュ９０が挿入される。
【０２８１】
前記ブッシュ設置部８８２及びブッシュ９０は、上下方向には分離されることができる。前記ブッシュ設置部８８２及びブッシュ９０は、回転方向には相互係止を形成する。
【０２８２】
このために、前記ブッシュ設置部８８２またはブッシュ９０のうち、いずれか１つにブッシュ係止部９３が形成され、他の１つにブッシュ係止溝８８３が形成される。本実施形態では、ブッシュ９０にブッシュ係止部９３が形成され、ブッシュ設置部８８２にブッシュ係止溝８８３が形成される。
【０２８３】
前記ブッシュ係止溝８８３は、ブッシュ設置部８８２の内側面に形成され、窪んだ形状である。前記ブッシュ係止部９３は、ブッシュ９０の外側面に形成され、膨らんだ形状である。
【０２８４】
前記ブッシュ係止部９３は、ブッシュ係止溝８８３に挿入されて挟まれる。
【０２８５】
本実施形態とは異なり、ブッシュ設置部８８２及びブッシュ９０を一体に製作することができる。前記ブッシュ９０が金属材質で形成されるので、第２のウォータリングハウジング８４０を製作するとき、金型内にブッシュ９０を配置した後、第２のウォータリングハウジング材質を射出して一体に製作することができる。
【０２８６】
前記ブッシュ９０は、動力伝達モジュール６００の動力伝達軸６４０と結合される。
【０２８７】
前記ブッシュ９０は、前記動力伝達軸６４０と結合されて回転力が伝達される。前記ブッシュ９０は、金属材質で形成されることが好ましい。硬い金属材質でない場合、摩耗が発生する可能性があり、これは、振動の原因となる。
【０２８８】
前記ブッシュ９０は、上下方向に貫通されたブッシュ軸中空が形成される。前記ブッシュ軸中空に前記動力伝達軸６４０が挿入される。
【０２８９】
前記ブッシュ９０は、前記ウォータリングハウジング８００が回転されるとき、振動を低減させる。前記ブッシュ９０は、動力伝達軸６４０上に位置する。本実施形態において前記ブッシュ９０は、前記ウォータリングハウジング８００の重心に位置する。前記ブッシュ９０が、ウォータリングハウジング８００の重心が位置するので、回転の際、ウォータリングハウジング８００の振動を大幅低減することができる。
【０２９０】
前記ブッシュ９０と動力伝達軸６４０とは、嵌合により組み立てられる。前記ブッシュ９０は、前記動力伝達軸６４０に支持される。
【０２９１】
前記ブッシュ９０を支持するために、動力伝達軸６４０は軸支持端６４２が形成される。前記軸支持端６４２を基準に上側の直径が小さく、下側の直径が大きい。
【０２９２】
前記ブッシュ９０は、前記動力伝達軸６４０の上側端を介して挿入される。
【０２９３】
前記軸支持端６４２は、摩耗を最小化するために、テーパ、チャンパ、またはラウンド状に形成されることができる。前記軸支持端６４２を直角に形成する場合、組立過程または作動過程で摩耗が発生し得る。
【０２９４】
前記軸支持端６４２が摩耗される場合、ブッシュ９０が動きながら振動を発生させる原因となる。また、軸支持端６４２が摩耗される場合、ブッシュ９０が傾いたり、移動されることができ、このため、動力伝達軸６４０と整列不良を発生させることができる。また、ブッシュ９０及び動力伝達軸６４０の整列不良が発生される場合、回転の際、偏心が発生し、これによる振動が発生される。
【０２９５】
前記ウォータリングハウジングカバー８６０は、第２のウォータリングハウジング８４０の上側に結合され、前記第２のウォータリングハウジング８４０の上側を密閉させる。前記ウォータリングハウジングカバー８６０は、第２のウォータリングハウジング８４０とねじ結合される。
【０２９６】
本実施形態において前記ウォータリングハウジングカバー８６０は、動力伝達モジュール６００と組み立てられる。本実施形態とは異なり、前記ウォータリングハウジングカバー８６０は、動力伝達モジュール６００と分離された状態を形成しても構わない。
【０２９７】
前記ウォータリングハウジングカバー８６０が動力伝達軸６４０と結合される場合、ウォータリングハウジング８００の偏心及び振動をより効果的に低減させることができる。
【０２９８】
前記ウォータリングハウジングカバー８６０は、前記第２のウォータリングハウジング８４０の上側開口部をカバーするカバーボディ８６２と、前記カバーボディ８６２から下側へ延びて形成され、前記第２のウォータリングハウジング８４０の上端を囲むカバーボディボーダー８６３と、前記カバーボディ８６２の下側に形成され、前記カバーボディボーダー８６３と所定間隔離間して形成されたパッキング設置リブ８６４と、前記動力伝達軸６４０に固定される軸固定部８６６と、前記軸固定部８６６及びパッキング設置リブ８６４を連結する補強リブ８６８とを備える。
【０２９９】
前記カバーボディ８６２は、平面から見たとき、円形に形成される。前記カバーボディ８６２の直径は、第２のウォータリングハウジング８４０の直径より大きく形成される。
【０３００】
本実施形態とは異なり、前記カバーボディ８６２の平面形状は円形でなくても構わない。また、前記ウォータリングハウジング８００の平面形状も特定形状に制限されない。
【０３０１】
前記カバーボディボーダー８６３は、前記カバーボディ８６２の枠を形成する。前記カバーボディボーダー８６３は、リング形状に形成され、前記カバーボディ８６２と一体に製作される。前記カバーボディボーダー８６３は、外側面に複数個の突起８６１が形成され、前記突起８６１は、円周方向に沿って３６０度形成される。前記突起８６１は、ウォータリングハウジングカバー８６０を分離するとき、ユーザにグリップ感を提供する。
【０３０２】
また、前記突起８６１は、上部給水の際、落下する水を効果的に飛散させることができる。上部給水を介して落下する水は、ウォータリングハウジングカバー８６０に落下し、ウォータリングハウジング８００の回転により前記カバーボディボーダー８６３に流動する。その後、前記突起８６１から水滴形態に分離された後、ビジュアルボディ２１０内側面に撒かれる。前記突起８６１は、上部給水された水を効果的に飛散させることができる。
【０３０３】
前記パッキング設置リブ８６４は、前記カバーボディボーダー８６３の内側に位置し、前記カバーボディボーダー８６３と所定距離離間する。前記カバーボディボーダー８６３及びパッキング設置リブ８６４間に第２のパッキング８６５が設けられる。
【０３０４】
前記第２のパッキング８６５を介してウォータリングハウジングカバー８６０及び第２のウォータリングハウジング８４０間を密閉させることができる。前記第１のパッキング８２５及び第２のパッキング８６５を介してハウジング空間８０５の水の漏水を遮断するので、噴射口４１０を介して吐出される水の圧力を一定に維持することができる。
【０３０５】
前記第１のウォータリングハウジング８２０及び第２のウォータリングハウジング８４０間で水が漏水したり、または第２のウォータリングハウジング８４０及びウォータリングハウジングカバー８６０間で水が漏水する場合、噴射口４１０から吐出される水の圧力を一定に維持し難い。
【０３０６】
すなわち、ウォータリングハウジング８００で水の漏水が発生される場合、ウォータリングハウジング８００を回転させても噴射口４１０から水が噴射されないことがある。
【０３０７】
前記カバーボディボーダー８６３及び第２のウォータリングハウジング８４０は、ねじ結合されることができる。本実施形態において前記ウォータリングハウジングカバー８６０及び第２のウォータリングハウジング８４０は、抑止嵌込されて組み立てられる。
【０３０８】
前記軸固定部８６６は、動力伝達軸６４０と組み立てられ、前記動力伝達軸６４０から回転力が伝達される。
【０３０９】
前記軸固定部８６６及び動力伝達軸６４０は、ねじ結合されることができる。このために、前記動力伝達軸６４０の上端外周面には、前記ウォータリングハウジングカバー８６０とのねじ結合のためのねじ山６４３が形成される。
【０３１０】
前記軸固定部８６６には、前記動力伝達軸６４０と組み立てられるためのねじ山が形成され得る。本実施形態では、前記軸固定部８６６に軸固定部材８６７が配置され、前記軸固定部材８６７は、前記軸固定部８６６に二重射出されて一体化する。本実施形態において前記軸固定部材８６７は、ナットが使用される。
【０３１１】
前記ウォータリングハウジングカバー８６０とは異なり、前記軸固定部材８６７は、金属材質が使用される。動力伝達軸６４０が金属材質で形成されるところ、前記動力伝達軸６４０とねじ結合される部分も金属材質で形成されてはじめて締結時の摩耗や損傷を防止できる。前記ウォータリングハウジングカバー８６０全体が金属材質で形成される場合、または前記軸固定部８６６が金属材質で形成される場合、前記軸固定部８６６自体にねじ山を形成させることが好ましい。
【０３１２】
前記ウォータリングハウジングカバー８６０は、第２のウォータリングハウジング８４０の直径より大きく形成される。上側から見たとき、前記ウォータリングハウジングカバー８６０のみ露出し、第２のウォータリングハウジング８４０及び第１のウォータリングハウジング８２０は露出しない。
【０３１３】
これにより、前記給水流路１０９に供給された水のうち、少なくとも一部は、前記ウォータリングハウジングカバー８６０に落下し得る。前記ウォータリングハウジング８００が回転される場合、前記ウォータリングハウジングカバー８６０に落下した水は、前記ウォータリングハウジングカバー８６０表面から半径方向外側に噴射される。
【０３１４】
回転されるウォータリングハウジングカバー８６０は、給水された水を回転方向に沿って噴射させ、傘から水が落ちるような効果を実現できる。特に、前記ウォータリングハウジングカバー８６０の円周方向に配置された複数個の突起８６１から水滴が剥離され得る。
【０３１５】
前記ウォータリングハウジングカバー８６０から回転方向に噴射される水等は、ビジュアルボディ２１０の内側面に当たり、レインビューを演出できる。
【０３１６】
前記レインビューは、前記ビジュアルボディ２１０の内側面に結ばれた液滴等が雨粒が流れ落ちるように現れる状況を意味する。
【０３１７】
本実施形態において前記ウォータリンググルーブ８１０は、水槽３００の水を効果的に揚水できる形態で設計される。本実施形態において前記ウォータリンググルーブ８１０は、噴射口４１０より低く位置する。特に、前記ウォータリンググルーブ８１０は、第１の噴射口４１１より低く形成される。
【０３１８】
前記ウォータリンググルーブ８１０は、水に対して水平方向回転力を垂直方向に切り換える。前記ウォータリンググルーブ８１０が形成される場合、垂直方向に水がより効果的に揚水され得る。
【０３１９】
本実施形態において前記ウォータリンググルーブ８１０は、ウォータリングハウジング８００の内側面に形成され、内側に向かって突出される。前記ウォータリンググルーブ８１０は、上下方向に長く延びて形成される。本実施形態とは異なり、前記ウォータリンググルーブ８１０は、ジグザグ形態で形成されることもできる。本実施形態では、第１のウォータリングハウジング８２０を射出で製作するので、前記ウォータリンググルーブ８１０を上下方向に配置して金型を容易に引き出すことができる。
【０３２０】
製作方式が変わる場合、前記ウォータリンググルーブ８１０を直線でない様々なパターンで形成し、突出された表面積を増加させることができる。
【０３２１】
例えば、前記ウォータリンググルーブは、ドット形態で形成されることができる。前記ウォータリンググルーブは、点線形態で形成されることができる。前記ウォータリンググルーブは、四角断面、円形断面、三角断面などが内側に突出されて形成されることができる。
【０３２２】
前記ウォータリンググルーブ８１０の表面積が揚水効率と密接な連関がある。特に、前記ウォータリンググルーブ８１０の表面積は、ウォータリング吸入口８０２の面積と連関される。前記ウォータリング吸入口８０２は、ウォータリングハウジング８００の下側開口部面積と定義する。
【０３２３】
前記ウォータリンググルーブ８１０の総表面積は、前記ウォータリング吸入口８０２の面積に対比して７７％〜１２９．５％に形成されることができる。
【０３２４】
前記ウォータリンググルーブ８１０の総表面積を前記割合で形成させるために、ウォータリンググルーブ８１０の個数を増加させることができる。前記ウォータリンググルーブ８１０の総表面積を前記割合で形成させるために、ウォータリンググルーブ８１０の突出長さを増加させることができる。前記ウォータリンググルーブ８１０の総表面積を前記割合で形成させるために、ウォータリンググルーブ８１０の上下方向長さを増加させることができる。
【０３２５】
前記ウォータリンググルーブ８１０の上下方向長さは、前記ウォータリングハウジング８００の高さの１００％〜３０％に形成されることができる。
【０３２６】
そして、前記ウォータリング吸入口８０２の面積は、ウォータリングハウジング８００の最大面積に対比して１９．５％〜３２．７％に形成されることができる。前記最大面積は、ウォータリングハウジング８００の内部表面積の中で最も広い面積である。本実施形態では、第２のウォータリングハウジング８４０の上側開口部面積が最大面積である。
【０３２７】
そして、前記ウォータリンググルーブ８１０は、第１のウォータリングハウジング８４０の内側面に形成されるものの、垂直方向に対して傾斜を有するように形成される。前記ウォータリンググルーブ８１０の傾斜角は、少なくとも３度以上でなければならない。本実施形態において前記ウォータリンググルーブ８１０は、３度の傾斜角を形成する。
【０３２８】
前記ウォータリンググルーブ８１０は、上側へ行くほど、動力伝達軸６４０と遠ざかる方向に傾斜角が形成される。上述したウォータリング連結部８８４も前記ウォータリンググルーブ８１０のように、水の水平方向流動を垂直方向に切り換えるのに肯定的な効果を提供する。
【０３２９】
図１７は、本発明の第２の実施形態に係るウォータリングユニットが示された断面図である。
【０３３０】
本実施形態に係るウォータリングユニットの揚水手段は、揚水ポンプ１８１０を備える。
【０３３１】
本実施形態に係る揚水手段は、前記ウォータリングモータ４２の駆動力により作動される揚水ポンプ１８１０と、前記ウォータリングハウジング１８００に配置され、前記揚水ポンプ１８１０によりポンピングされた水が流動する揚水配管１８１１、１８１２と、前記揚水配管１８１１、１８１２の端に配置され、揚水された水が噴射される揚水ノズル１８３０、１８５０とを備える。
【０３３２】
前記ウォータリングモータ４２は、前記揚水ポンプ１８１０を作動させる。
【０３３３】
前記揚水ポンプ１８１０は、水槽３００内部の水を吸入し、吸入された水を揚水配管１８１１、１８１２にポンピングする。前記揚水ポンプ１８１０は、水槽３００の内部と連通され、前記水槽３００内部で水の供給を受ける。
【０３３４】
前記ウォータリングモータ４２は、前記第１の実施形態のように、ベースボディ１１０に配置され、水槽３００をベースボディ１１０から分離させることができる。ウォータリングモータ４２の回転力を伝達するためのカプラ等の図面を省略した。
【０３３５】
前記揚水配管は、複数個が配置され得る。本実施形態において前記揚水配管は、第１の噴射口４１１に連結された第１の揚水配管１８１１と、第２の噴射口４１２に連結された第２の揚水配管１８１２とを備える。
【０３３６】
前記揚水配管には、水の流動方向を制御するバルブが配置され得るし、前記バルブが前記第１の揚水配管１８１１または第２の揚水配管１８１２のうち、少なくともいずれか１つに水を流動させることができる。
【０３３７】
前記揚水ノズルは、前記第１の揚水配管１８１１に配置された第１の揚水ノズル１８３０と、前記第２の揚水配管１８１２に配置された第２の揚水ノズル１８５０とを備える。
【０３３８】
前記第１の揚水ノズル１８３０は、第１の噴射口４１１に配置される。前記第２の揚水ノズル１８５０は、第２の噴射口４１２に配置される。
【０３３９】
本実施形態では、ウォータリングハウジング１８００が停止した状態で水を噴射できる。
【０３４０】
以下、残りの構成は、上記第１の実施形態と同様なので、詳細な説明を省略する。
【０３４１】
以上では、本発明の好ましい実施形態について図示し説明したが、本発明は、上述した特定の実施形態に限定されず、特許請求の範囲で請求する本発明の要旨を逸脱せず、当該発明の属する技術分野における通常の知識を有する者により様々な変形実施が可能であることはもちろんであり、このような変形実施等は、本発明の技術的思想や展望から個別的に理解されてはならないであろう。
【図１】
2018532094.tif 000003
【図２】
2018532094.tif 000004
【図３】
2018532094.tif 000005
【図４】
2018532094.tif 000006
【図５】
2018532094.tif 000007
【図６】
2018532094.tif 000008
【図７】
2018532094.tif 000009
【図８】
2018532094.tif 000010
【図９】
2018532094.tif 000011
【図１０】
2018532094.tif 000012
【図１１】
2018532094.tif 000013
【図１２】
2018532094.tif 000014
【図１３】
2018532094.tif 000015
【図１４】
2018532094.tif 000016
【図１５】
2018532094.tif 000017
【図１６】
2018532094.tif 000018
【図１７】
2018532094.tif 000019
【国際調査報告】
2018532094.tif 000020
2018532094.tif 000021
2018532094.tif 000022
2018532094.tif 000023